(57)【特許請求の範囲】
【請求項１】
操作部と、マイクロ波を発振する発振回路部と、マイクロ波を発信送信信号として発信するとともに操作部に向かってくる移動体により反射された反射波を受信信号として受信するよう操作部に隣接配置されたアンテナと、受信信号及び発信信号をミキシングしてミキサ信号を出力するミキサと、ミキサのミキサ信号に基づいてドップラー方式により移動体を検知する信号処理部と、信号処理部による移動体の検知結果に基づいて移動体が操作部に向かってくることを判断する検知判断回路と、検知判断回路の判断により負荷を開閉制御する負荷制御部と、を備えたことを特徴とするスイッチ。
【請求項２】
前記アンテナをマイクロストリップアンテナとし、基板を設け、その基板表面に沿って前記アンテナを一体に設けた請求項１記載のスイッチ。
【請求項３】
前記アンテナを前記操作部と重合するよう隣接配置するとともに、前記アンテナと前記操作部との間に、カードを抜き差し自在に配置した請求項２記載のスイッチ。
【請求項４】
前記移動体に対する検知感度を切替可能とした請求項１乃至請求項３のいずれかに記載のスイッチ。
【請求項５】
前記マイクロ波を前記送信信号として発信するタイミングを、予め設定された周期で行うよう制御する発信制御回路を設けた請求項１乃至請求項４のいずれかに記載のスイッチ。
【請求項６】
前記操作部を複数個隣接配置するとともに複数個の前記操作部毎に前記アンテナを隣接配置する場合に、前記発信制御回路を前記操作部と同数個設け、前記送信信号を発信するタイミングが互いに異なるよう、前記送信信号を発信するタイミングを前記発信制御回路間で調整するようにした請求項５記載のスイッチ。
【請求項７】
前記発信制御回路間で発信指示信号を順次入出力させ、その発信指示信号に基づいて、前記送信信号を発信するタイミングを順次ずらすようにした請求項６記載のスイッチ。
【請求項８】
前記発信制御回路に抵抗回路を接続し、前記発信指示信号を順次入出力させる前に、前記発信制御回路間に予め入出力される前記発信指示信号それぞれに対して、前記抵抗回路により電気的に強弱を付与し、強弱付与後の前記発信指示信号に基づいて、前記発信指示信号を入出力させる順序を認識するようにした請求項７記載のスイッチ。
【請求項９】
前記操作部を複数個隣接配置するとともに複数個の前記操作部毎に前記アンテナを隣接配置する場合に、前記発信制御回路を前記操作部と同数個設け、前記送信信号を発信するタイミングがランダムとなるよう、前記送信信号を発信するタイミングを発信制御回路により制御するようにした請求項５記載のスイッチ。
【請求項１０】
前記操作部を複数個隣接配置するとともに複数個の前記操作部のそれぞれに前記アンテナを隣接配置する場合に、前記検知判断回路により、前記送信信号を発信するタイミングを調整してずらすようにした請求項５記載のスイッチ。
【請求項１１】
前記操作部を複数個隣接配置するとともに複数個の前記操作部のそれぞれに前記アンテナを隣接配置する場合に、前記送信信号を発信するタイミングが互いに異なるよう、前記送信信号を発信するタイミングを調整するとともに、前記受信信号を受信可能なタイミングを、前記送信信号を発信するタイミングに合わせた請求項５記載のスイッチ。
【発明の詳細な説明】
【０００１】
【発明の属する技術分野】
本発明は、埋込型の配線器具として使用されるスイッチに関する。
【０００２】
【従来の技術】
従来、この種のスイッチとして、スイッチ操作する手指を検知するために、手指の接近による静電容量を利用したものとがある。
【０００３】
このものは、１極や３極の電極を有し、その電極表面にコーティング材がコーティングされている。このコーティング材に手指が接触して電極に接近したときに、電極の静電容量が変化し、その静電容量の変化に基づいて、スイッチ操作する手指を検知して、開閉制御するようにしている。
【０００４】
【発明が解決しようとする課題】
上記した従来のスイッチにあっては、スイッチを強く押圧操作することなく、ＯＮ／ＯＦＦ動作することができる。
【０００５】
しかしながら、このスイッチの操作者が手袋を着用してスイッチを操作する場合、手袋の厚みの分だけ、コーティング材と手指の間の距離、すなわち電極と手指の間の距離が長くなるので、スイッチ操作する手指を検知できなくなり、開閉制御できなくなる恐れがある。
【０００６】
本発明は、上記の点に着目してなされたもので、その目的とするところは、スイッチの操作者が手袋を着用してスイッチを操作する場合でも確実に開閉制御することができるスイッチを提供することにある。
【０００７】
【課題を解決するための手段】
上記した課題を解決するために、請求項１記載のスイッチは、操作部と、マイクロ波を発振する発振回路部と、マイクロ波を発信送信信号として発信するとともに操作部に向かってくる移動体により反射された反射波を受信信号として受信するよう操作部に隣接配置されたアンテナと、受信信号及び発信信号をミキシングしてミキサ信号を出力するミキサと、ミキサのミキサ信号に基づいてドップラー方式により移動体を検知する信号処理部と、信号処理部による移動体の検知結果に基づいて移動体が操作部に向かってくることを判断する検知判断回路と、検知判断回路の判断により負荷を開閉制御する負荷制御部と、を備えた構成にしている。
【０００８】
請求項２記載のスイッチは、請求項１記載のスイッチにおいて、前記アンテナをマイクロストリップアンテナとし、基板を設け、その基板表面に沿って前記アンテナを一体に設けた構成にしている。
【０００９】
請求項３記載のスイッチは、請求項２記載のスイッチにおいて、前記アンテナを前記操作部と重合するよう隣接配置するとともに、前記アンテナと前記操作部との間に、カードを抜き差し自在に配置した構成にしている。
【００１０】
請求項４記載のスイッチは、請求項１乃至請求項３のいずれかに記載のスイッチにおいて、前記移動体に対する検知感度を切替可能とした構成にしている。
【００１１】
請求項５記載のスイッチは、請求項１乃至請求項４のいずれかに記載のスイッチにおいて、前記マイクロ波を前記送信信号として発信するタイミングを、予め設定された周期で行うよう制御する発信制御回路を設けた構成にしている。
【００１２】
請求項６記載のスイッチは、請求項５記載のスイッチにおいて、前記操作部を複数個隣接配置するとともに複数個の前記操作部毎に前記アンテナを隣接配置する場合に、前記発信制御回路を前記操作部と同数個設け、前記送信信号を発信するタイミングが互いに異なるよう、前記送信信号を発信するタイミングを前記発信制御回路間で調整する構成にしている。
【００１３】
請求項７記載のスイッチは、請求項６記載のスイッチにおいて、前記発信制御回路間で発信指示信号を順次入出力させ、その発信指示信号に基づいて、前記送信信号を発信するタイミングを順次ずらす構成にしている。
【００１４】
請求項８記載のスイッチは、請求項７記載のスイッチにおいて、前記操作部を複数個隣接配置するとともに複数個の前記操作部毎に前記アンテナを隣接配置する場合に、前記発信制御回路を前記操作部と同数個設け、前記送信信号を発信するタイミングがランダムとなるよう、前記送信信号を発信するタイミングを発信制御回路により制御する構成にしている。
【００１５】
請求項９記載のスイッチは、請求項５記載のスイッチにおいて、前記操作部を複数個隣接配置するとともに複数個の前記操作部毎に前記アンテナを隣接配置する場合に、前記発信制御回路を前記操作部と同数個設け、前記送信信号を発信するタイミングがランダムとなるよう、前記送信信号を発信するタイミングを発信制御回路により制御する構成にしている。
【００１６】
請求項１０記載のスイッチは、請求項５記載のスイッチにおいて、前記操作部を複数個隣接配置するとともに複数個の前記操作部のそれぞれに前記アンテナを隣接配置する場合に、信号処理部による移動体の検知結果に基づいて前記移動体が前記操作部に向かってくることを判断して前記負荷制御部に負荷を開閉制御させるよう設けた検知判断回路により、前記送信信号を発信するタイミングを調整してずらす構成にしている。
【００１７】
請求項１１記載のスイッチは、請求項５記載のスイッチにおいて、前記操作部を複数個隣接配置するとともに複数個の前記操作部のそれぞれに前記アンテナを隣接配置する場合に、前記送信信号を発信するタイミングが互いに異なるよう、前記送信信号を発信するタイミングを調整するとともに、前記受信信号を受信可能なタイミングを、前記送信信号を発信するタイミングに合わせた構成にしている。
【００１８】
【発明の実施の形態】
本発明の第１実施形態のスイッチを図１乃至図５に基づいて以下に説明する。このスイッチは、図２に示すように、プレートＸ１、プレート枠Ｘ２、中枠Ｘ３及び取付枠Ｘ４に取り付けられた状態で、例えば、住宅内の廊下等の壁面に設置されて使用されるものである。
【００１９】
１はマイクロ波ドップラーセンサで、マイクロ波を発振するＭ／Ｗ波発振器（発振回路部）１ａ、マイクロ波を送信信号として送信する送信アンテナ１ｂ、送信されたマイクロ波が人体の手指等（移動体）Ｍにより反射された反射波を受信信号として受信する受信アンテナ１ｃ、受信信号として受信された反射波と送信信号として送信されたマイクロ波をミキシングしてドップラー信号（ミキサ信号）を出力するミキサ１ｄ、ドップラー信号を増幅する増幅する増幅回路１ｅ、入力信号が所定周波数帯域の場合に出力信号を出力するフィルタ回路１ｆ、フィルタ回路１ｆからの出力信号を所定の閾値と比較して出力信号が閾値よりも大きいときに信号出力する比較回路１ｇ、比較回路１ｇからの信号を入力して人体の手指等Ｍの検知結果を出力する出力回路１ｈを備えている。
【００２０】
このものの送信アンテナ１ｂ及び受信アンテナ１ｃは、このスイッチに設けられた基板６の表面に沿って一体形成された平面型の薄いマイクロストリップアンテナである。なお、これらの送信アンテナ１ｂ及び受信アンテナ１ｃは、導波管を使用したホーンアンテナでもよい。これらの送信アンテナ１ｂ及び受信アンテナ１ｃは、後述する操作部２の裏側に重合するよう隣接配置されている。このものの増幅回路１ｅは、フィルタ回路１ｆと一体化され、比較回路１ｇ及び出力回路１ｈと共に、ミキサ１ｄのドップラー信号に基づいてドップラー方式により人体の手指等（移動体）Ｍを検知する信号処理部１Ａを構成している。
【００２１】
２は操作部で、マイクロ波が透過する材料により、板状に形成されている。この操作部２は、透明であって、その裏側の両アンテナ１ｂ，１ｃとの間には、ネームカードとされるカード（写真・絵）が、抜き差し自在に配置されている。
【００２２】
なお、この操作部２は、スイッチに露出状態で設けられているが、マイクロ波がガラスや石膏であっても透過するから、表面が建材等で被覆されて隠蔽状態で設けられてもよい。
【００２３】
３は検知判断回路で、信号処理部１Ａによる手指等（移動体）の検知結果に基づいて人体の手指等Ｍが操作部２に向かってくることを判断し、後述する負荷制御回路４に負荷機器Ｌを開閉制御させる出力信号を出力する。
【００２４】
４は負荷制御回路（負荷制御部）で、検知判断回路３からの出力信号により、電灯等の負荷機器Ｌを開閉制御する。なお、この負荷制御回路４は、前述した比較回路１ｇ及び出力回路１ｈと一体化した構成としてもよい。
【００２５】
５は電源部で、商用電源Ｅに接続され、この商用電源ＥからＡＣ１００Ｖが入力可能となっており、このスイッチ内の各部、すなわち、マイクロ波ドップラーセンサ１、検知判断回路３、負荷制御回路４へ給電する。この電源部５は、マイクロ波ドップラーセンサ１、操作部２、検知判断回路３及び負荷制御回路４等と一体化され、スイッチ本体７を構成している。このスイッチ本体７は、前述した取付枠Ｘ４等に取り付けられて、住宅内の廊下等の壁面に設置される。
【００２６】
なお、この電源部５、負荷制御回路４及び検知判断回路３を一体化して電源ブロックを構成するととともに、マイクロ波ドップラーセンサ１及び操作部２を操作ブロックとして、両ブロックを離れて取り付け、電源線、ＧＮＤ線及びマイクロ波ドップラーセンサ出力信号線により接続してもよい。このとき、電源線、ＧＮＤ線及びマイクロ波ドップラーセンサ出力信号線は、必要に応じて互いの線の間がシールドされるようにする。
【００２７】
また、電源ブロックに複数の操作ブロックを接続し、各操作ブロックを部屋毎等、いろいろな場所に取り付けることにより、いろいろな場所で、負荷機器Ｌの開閉制御を行うことができ、利便性に優れたものとなる。
【００２８】
次に、このものの動作を説明する。Ｍ／Ｗ波発振器１ａにより発振されたマイクロ波が、送信アンテナ１ｂから所定の検知エリアＡに対して送信信号として送信され、操作部２に触れようと手指等Ｍが近づいてきて、所定の検知エリアＡ内で移動すると、この手指等Ｍにより反射されたマイクロ波の反射波が、受信信号として受信アンテナ１ｃにより受信される。そして、受信信号として受信されたマイクロ波の反射波と送信信号として送信されたマイクロ波とが、ミキサ１ｄによりミキシングされて、ミキサ１ｄからドップラー信号が出力される。
【００２９】
このドップラー信号は、増幅回路１ｅにより処理可能なレベルにまで増幅され、フィルタ回路１ｆにより、この増幅されたドップラー信号のうち、人体の手指等Ｍの移動成分の周波数のみのドップラー信号を出力信号として取り出す。フィルタ回路１ｆからの出力信号は、比較回路１ｇにより、予め設定された閾値と比較され、出力信号が閾値よりも大きいとき、比較回路１ｇから出力回路１ｈに信号出力される。比較回路１ｇから信号出力された出力回路１ｈは、手指等Ｍの検知結果を検知判断回路３に出力する。
【００３０】
すると、検知判断回路３は、出力回路１ｈからの検知結果の出力により、手指等Ｍが操作部２に向かっている、つまり接近又は接触していると判断し、負荷機器Ｌを開閉制御させる出力信号を負荷制御回路４に出力する。負荷制御回路４は、検知判断回路３からの出力信号によって、電灯等の負荷機器Ｌを開閉制御する。
【００３１】
かかるスイッチにあっては、信号処理部１Ａが、ミキサ１ｄのドップラー信号に基づいて、スイッチの操作者が手袋等を着用していてもその着用により影響を受けずに、ドップラー方式により手指等Ｍを検知し、その手指等Ｍの検知結果に基づいて、負荷制御回路４が負荷機器Ｌを開閉制御するのであるから、このスイッチの操作者が手袋を着用してスイッチを操作する場合でも確実に開閉制御することができる。
【００３２】
また、基板６の表面に沿って、マイクロストリップアンテナとしたアンテナ１ｂ，１ｃを一体に設けているから、小型化することができる。
【００３３】
また、アンテナ１ｂ，１ｃと透明の操作部２との間に抜き差し自在に配置したカード８を、ネームカードとして使用しており、使い勝手の良いものとなっている。
【００３４】
次に、本発明の第２実施形態のスイッチを図６乃至図８に基づいて以下に説明する。なお、第１実施形態と同一の部材には同一の符号を付し、第１実施形態と異なるところのみ記す。本実施形態は、基本的には第１実施形態と同様であるが、感度切替部９を設けて、人体の手指等（移動体）Ｍに対する検知感度を切替可能としている。
【００３５】
この感度切替部９は、使用者が任意に設定変更可能なスライドスイッチ等からなり、その設定変更に応じて、マイクロ波ドップラーセンサ１からの送信信号の送信電力、増幅回路１ｅの増幅ゲイン、比較回路１ｇの閾値等が変更されて、人体の手指等（移動体）Ｍに対する検知感度が切り替えられる。
【００３６】
例えば、検知感度が小さく、操作部２に沿った検知エリアＡが７〜８ｃｍで、操作部２に直交する検知エリアＡが１〜２ｃｍの場合は、図７（ａ）及び図８（ａ）に示すように、手指を検知して負荷機器Ｌを開閉制御するタッチスイッチとして使用される。これに対して、検知感度が大きく、操作部２に沿った検知エリアＡが１〜２ｍで、操作部２に直交する検知エリアＡが１〜２ｍの場合は、図７（ｂ）及び図８（ｂ）に示すように、床面や廊下等を通過する人体そのものを検知して負荷機器Ｌを開閉制御する人体検知スイッチとして使用される。
【００３７】
かかるスイッチにあっては、第１実施形態の効果に加えて、検知感度を切替可能としているから、感度を低くして、手指による操作用とすることもできるし、感度を上げて、人体検知用とすることもできる。
【００３８】
次に、本発明の第３実施形態のスイッチを図９に基づいて以下に説明する。なお、第１実施形態と同一の部材には同一の符号を付し、第１実施形態と異なるところのみ記す。本実施形態は、基本的には第１実施形態と同様であるが、発信制御回路１０をマイクロ波ドップラーセンサ１に設けて、送信信号として送信されるマイクロ波の発信を制御するようにしている。なお、発信制御回路１０を設ける箇所は、マイクロ波ドップラーセンサ１に限るものではない。
【００３９】
このものの発信制御回路１０は、予め設定された周期で、間欠的にマイクロ波の発信及びその停止を行う。マイクロ波が送信されて、近傍の手指等Ｍで反射された反射波が受信信号として受信されるまでの時間は、ｎｓオーダーであるから、手指等Ｍの接近を検知可能な周期で、マイクロ波を送信信号として送信できるのである。
【００４０】
かかるスイッチにあっては、第１実施形態の効果に加えて、発信制御回路１０により、マイクロ波を送信信号として検知エリアＡに向かって発信するタイミングを、予め設定された周期で行うことにより、マイクロ波を送信信号として検知エリアＡに向かって常時発信する場合に比較して、消費電力を抑えることが可能となる。
【００４１】
なお、本実施形態は、第１実施形態に発信制御回路１０を設けたものであるが、第１実施形態に発信制御回路１０を設けたものであっても、消費電力を抑えることができるという効果を奏することができる。
【００４２】
次に、本発明の第４実施形態のスイッチを図１０乃至図１５に基づいて以下に説明する。なお、第３実施形態と同一の部材には同一の符号を付し、第３実施形態と異なるところのみ記す。本実施形態は、第３実施形態のものを３個隣接配置したものであり、図１０に示すように、操作部２が３個隣接配置されるとともに、３個の操作部２毎に、マイクロ波ドップラーセンサ１、検知判断回路３及び負荷制御回路４を設けたものとなっている。従って、３対の両アンテナ１ｂ，１ｃが、隣接配置されることになる。さらに、この第４実施形態では、発信制御回路１０は、操作部２と同数個（３個）設けられている。ここでは、説明の都合上、３個の発信制御回路１０を、第１の発信制御回路１０ａ、第２の発信制御回路１０ｂ、第３の発信制御回路１０ｃと区別する。
【００４３】
第１の発信制御回路１０ａは、図１３に示すように、第１の発信指示信号線Ｌ１により第２の発信制御回路１０ｂと接続され、第１の発信指示信号線Ｌ１を介しての発信指示信号（電圧信号）の送受信を行うために、入力端子ＩＮ及び出力端子ＯＵＴを設けている。第２の発信制御回路１０ｂは、同図に示すように、上述した第１の発信指示信号線Ｌ１により第１の発信制御回路１０ａと接続されるとともに、第２の発信指示信号線Ｌ２により第３の発信制御回路１０ｃと接続され、第１の発信指示信号線Ｌ１及び第２の発信指示信号線Ｌ２を介しての発信指示信号の送受信を行うために、入力端子ＩＮ及び出力端子ＯＵＴを設けている。第３の発信制御回路１０ｃは、同図に示すように、発信指示信号線Ｌ２を介しての発信指示信号の送受信を行うために、入力端子ＩＮ及び出力端子ＯＵＴを設けている。
【００４４】
次に、第１の発信制御回路１０ａ乃至第３の発信制御回路１０ｃの動作について、図１１（ａ）乃至（ｋ）に基づいて以下に説明する。
【００４５】
第１の発信制御回路１０ａは、同図（ａ）に示すように、送信アンテナ１ｂがマイクロ波を送信信号として発信した後に、予め設定された所定時間後に、第１の発信指示信号線Ｌ１を介して、同図（ｄ）に示すように、発信指示信号を第２の発信制御回路１０ｂへ出力する。
【００４６】
一方、第２の発信制御回路１０ｂは、第１の発信制御回路１０ａから発信された発信指示信号の電圧値により、発信指示信号有りと判断したら、マイクロ波を発信信号として発信させる発信制御信号をＭ／Ｗ波発振器１ａに出力し、同図（ｅ）に示すように、送信アンテナ１ｂがマイクロ波を送信信号として発信する。以下同様に、第２の発信指示信号線Ｌ２を介して、同図（ｈ）に示すように、第２の発信制御回路１０ｂから第３の発信制御回路１０ｃに発信指示信号を出力し、同図（ｉ）に示すように、送信アンテナ１ｂがマイクロ波を送信信号として発信する。
【００４７】
このように、第１の発信制御回路１０ａ、第２の発信制御回路１０ｂ、第３の発信制御回路１０ｃの順序で、予め設定された遅延時間を経て、各送信アンテナ１ｂからマイクロ波が送信信号として送信され、手指等Ｍにより反射された反射波が、同図（ｂ）、同図（ｆ）及び同図（ｊ）に示すように、受信信号として受信アンテナ１ｃに受信される。
【００４８】
また、同図（ｃ）、同図（ｇ）及び同図（ｋ）に示すように、送信のタイミングに合わせて、送信信号開始時から、予め設定されたゲート開放時間しか、受信信号を受信可能とさせるゲートが開放されないために、隣接した送信アンテナ１ｂから送信信号として送信されたマイクロ波の反射波は、受信信号として受信されないようになっている。
【００４９】
次に、図１３に基づいて、第１の発信制御回路１０ａ乃至第３の発信制御回路１０ｃが、発信指示信号の出力順序を認識する構成について説明する。
【００５０】
第１の発信制御回路１０ａは、同図に示すように、その入力端子ＩＮが接地用抵抗回路ＬＲを介して接地されるとともに、出力端子ＯＵＴが接続用抵抗回路ＨＲを介して第１の発信指示信号線Ｌ１に接続され、さらに、出力端子電圧が接続用抵抗回路ＨＲ及び接地用抵抗回路ＬＲにより分圧されてなる分圧電圧を監視できるように、接続用抵抗回路ＨＲと第１の発信指示信号線Ｌ１との接続点が、第１の発信制御回路１０ａに接続されている。
【００５１】
第２の発信制御回路１０ｂは、同図に示すように、その入力端子ＩＮが接地用抵抗回路ＬＲを介して接地されるとともに第１の発信指示信号線Ｌ１に接続され、出力端子ＯＵＴが接地用抵抗回路ＬＲを介して第２の発信指示信号線Ｌ２に接続され、さらに、出力端子電圧が接続用抵抗回路ＨＲ及び接地用抵抗回路ＬＲにより分圧されてなる分圧電圧を監視できるように、接続用抵抗回路ＨＲと第２の発信指示信号線Ｌ２との接続点が、第２の発信制御回路１０ｂに接続されている。
【００５２】
第３の発信制御回路１０ｃは、同図に示すように、その入力端子ＩＮが接地用抵抗回路ＬＲを介して接地されるとともに、出力端子ＯＵＴが接続用抵抗回路ＨＲを介して第１の発信指示信号線Ｌ１に接続され、さらに、接続用抵抗回路ＨＲの先端が、第３の発信制御回路１０ｃに接続されている。
【００５３】
次に、図１２（ａ）乃至（ｇ）に基づいて、第１の発信制御回路１０ａ乃至第３の発信制御回路１０ｃが、発信指示信号の出力順序を認識する手順について説明する。
【００５４】
初めに、同図（ａ）に示すように、商用電源ＥからＡＣ１００Ｖを給電し、第１の発信制御回路１０ａ乃至第３の発信制御回路１０ｃのそれぞれの出力端子ＯＵＴから、予め設定された初期環境認識時間Ｔの間、ＶＣＣの電位を有した発信指示信号を出力し、各発信制御回路１０ａ，１０ｂ，１０ｃの入力端子電圧及び出力端子電圧を監視する。監視結果を以下に説明する。
【００５５】
第１の発信制御回路１０ａは、入力端子ＩＮが接地用抵抗回路ＬＲを介して接地されているので、同図（ｂ）に示すように、入力端子電圧がＶ０となっており、出力端子電圧が、同図（ｃ）に示すように、ＶＣＣの電位を接続用抵抗回路ＨＲ及び接地用抵抗回路ＬＲにより分圧されてなる分圧電圧Ｖ１となっている。
【００５６】
第２の発信制御回路１０ｂは、入力端子電圧及び出力端子電圧のいずれもが、同図（ｄ）及び（ｅ）に示すように、ＶＣＣの電位を接続用抵抗回路ＨＲ及び接地用抵抗回路ＬＲにより分圧されてなる分圧電圧Ｖ１となっている。
【００５７】
第３の発信制御回路１０ｃは、入力端子電圧が、同図（ｆ）に示すように、ＶＣＣの電位を接続用抵抗回路ＨＲ及び接地抵抗により分圧されてなる分圧電圧Ｖ１となっており、同図（ｇ）に示すように、出力端子電圧が、ＶＣＣとなっている。
【００５８】
以上説明したように、第１の発信制御回路１０ａは、入力端子電圧がＶ０で出力端子電圧がＶ１、第２の発信制御回路１０ｂは、入力端子電圧がＶ０で出力端子電圧がＶ１、第２の発信制御回路１０ｂは、入力端子電圧がＶ１で出力端子電圧がＶＣＣであって、入出力される発信指示信号が、ＶＣＣ、Ｖ１、Ｖ０というように、強弱が付けられているから、入力端子電圧及び出力端子電圧により、任意の発信制御回路１０が、第１の発信制御回路１０ａ乃至第３の発信制御回路１０ｃのいずれであるかを、認識できるのである。
【００５９】
かかるスイッチにあっては、第３実施形態の効果に加えて、送信信号を発信するタイミングを発信制御回路１０間で調整することにより、送信信号を発信するタイミングが互いに異なるようにしているから、３個の操作部２毎に隣接配置されたアンテナが同一のタイミングで送信信号を送信する場合には起こり得る送信信号間の干渉を防止することができる。
【００６０】
また、発信制御回路１０間で発信指示信号を順次入出力される発信指示信号に基づいて、送信信号を発信するタイミングを順次ずらしていくのであるから、送信信号間の干渉を防止することができるという効果を確実に奏することができる。
【００６１】
また、発信指示信号を順次入出力させる前に、発信制御回路１０ａ，１０ｂ，１０ｃ間に予め入出力される発信指示信号それぞれに対して、抵抗回路ＬＲ，ＨＲにより電気的に強弱を付与し、強弱付与後の発信指示信号に基づいて、発信指示信号を入出力させる順序を認識するのであるから、発信指示信号を入出力させる順序が予め認識されていない場合でも、発信制御回路１０ａ，１０ｂ，１０ｃ間で発信指示信号を順次入出力することができる。
【００６２】
また、受信信号を受信可能なタイミングを、送信信号を発信するタイミングに合わせているから、隣接配置されたアンテナがタイミングをずらして発信した発信信号が反射された反射波を受信信号として受信することはなく、送信信号間の干渉を防止することができるという効果を確実にすることができる。
【００６３】
なお、本実施形態では、発信制御回路１０は、３つであるが、３つに限るものではく、４つ以上の場合は、接地用抵抗回路ＬＲ及び接続用抵抗回路ＨＲの抵抗値を、適宜異ならせることにより、認識可能である。
【００６４】
また、本実施形態では、発信制御回路１０は、マイクロ波ドップラーセンサ１に設けられているが、図１６に示すように、検知判断回路３に設けられてもよい。
【００６５】
また、本実施形態では、発信制御回路１０ａ，１０ｂ，１０ｃ間で発信指示信号を順次入出力される発信指示信号に基づいて、送信信号を発信するタイミングを順次ずらしているが、送信信号を発信するタイミングを、各発信制御回路１０ａ，１０ｂ，１０ｃにより制御して、送信信号を発信するタイミングをランダムとしても、複数個の操作部２毎に隣接配置されたアンテナが同一のタイミングで送信信号を送信する場合には起こり得る送信信号間の干渉を防止することができる。
【００６６】
次に、本発明の第５実施形態を図１７に基づいて以下に説明する。なお、第４実施形態と同一の部材には同一の符号を付し、第４実施形態と異なるところのみ記す。第４実施形態では、検知判断回路３が３個の操作部２毎に設けられ、発信制御回路１０ａ，１０ｂ，１０ｃ間で発信指示信号を順次入出力される発信指示信号に基づいて、送信信号を発信するタイミングを順次ずらす構成であるが、本実施形態では、一つの検知判断回路３が、各Ｍ／Ｗ波発振器１ａに対して、送信信号を発信するタイミングを順次ずらす構成となっている。
【００６７】
かかるスイッチにあっては、第３実施形態の効果に加えて、検知判断回路３により、送信信号を発信するタイミングを調整してずらすのであるから、複数個の操作部２毎に隣接配置されたアンテナが同一のタイミングで送信信号を送信する場合には起こり得る送信信号間の干渉を防止することができる。
【００６８】
また、第４実施形態と同様に、受信信号を受信可能なタイミングを、送信信号を発信するタイミングに合わせているから、隣接配置されたアンテナがタイミングをずらして発信した発信信号が反射された反射波を受信信号として受信することはなく、送信信号間の干渉を防止することができるという効果を確実にすることができる。
【００６９】
また、検知判断回路３は、一つであるから、この検知判断回路３を最初の施工で設けておけば、操作部２、マイクロ波ドップラーセンサ１及び負荷制御回路４を増設する際に、検知判断回路３までも増設する工事をしなくてもよくなる。
【００７０】
なお、本実施形態では、一つの検知判断回路３が、各Ｍ／Ｗ波発振器１ａに対して、送信信号を発信するタイミングを順次ずらしているが、各Ｍ／Ｗ波発振器１ａに対して、ランダムに送信信号を発信するように制御するものであっても、送信信号間の干渉を防止することができるという効果を奏することができる。
【００７１】
【発明の効果】
請求項１記載のスイッチは、信号処理部が、ミキサのミキサ信号に基づいて、スイッチの操作者が手袋等を着用していてもその着用により影響を受けずに、ドップラー方式により移動体を検知し、移動体が操作部に向かってくることを判断して、負荷制御部負荷を開閉制御するのであるから、スイッチの操作者が手袋を着用してスイッチを操作する場合でも確実に開閉制御することができる。
【００７２】
請求項２記載のスイッチは、請求項１記載のスイッチの効果に加えて、基板表面に沿って、マイクロストリップアンテナとしたアンテナを一体に設けているから、小型化することができる。
【００７３】
請求項３記載のスイッチは、請求項２記載のスイッチの効果に加えて、アンテナと操作部との間に抜き差し自在に配置したカードを、ネームカードとして使用することができる。
【００７４】
請求項４記載のスイッチは、請求項１乃至請求項３のいずれかに記載のスイッチの効果に加えて、移動体に対する検知感度を切替可能としているから、感度を低くして、手指による操作用とすることもできるし、感度を上げて、人体検知用とすることもできる。
【００７５】
請求項５記載のスイッチは、請求項１乃至請求項４のいずれかに記載のスイッチの効果に加えて、発信制御回路により、マイクロ波を送信信号として発信するタイミングを、予め設定された周期で行うことにより、マイクロ波を送信信号として常時発信する場合に比較して、消費電力を抑えることができる。
【００７６】
請求項６記載のスイッチは、請求項５記載のスイッチの効果に加えて、送信信号を発信するタイミングを発信制御回路間で調整することにより、送信信号を発信するタイミングが互いに異なるようにしているから、複数個の操作部毎に隣接配置されたアンテナが同一のタイミングで送信信号を送信する場合には起こり得る送信信号間の干渉を防止することができる。
【００７７】
請求項７記載のスイッチは、発信制御回路間で発信指示信号を順次入出力される発信指示信号に基づいて、送信信号を発信するタイミングを順次ずらしていくのであるから、送信信号間の干渉を防止することができるという請求項６記載のスイッチの効果を確実に奏することができる。
【００７８】
請求項８記載のスイッチは、請求項７記載のスイッチの効果に加えて、発信指示信号を順次入出力させる前に、発信制御回路間に予め入出力される発信指示信号それぞれに対して、抵抗回路により電気的に強弱を付与し、強弱付与後の発信指示信号に基づいて、発信指示信号を入出力させる順序を認識するのであるから、発信指示信号を入出力させる順序が予め認識されていない場合でも、発信制御回路間で発信指示信号を順次入出力することができる。
【００７９】
請求項９記載のスイッチは、請求項５記載のスイッチの効果に加えて、送信信号を発信するタイミングを発信制御回路により制御して、送信信号を発信するタイミングをランダムとしているから、複数個の操作部毎に隣接配置されたアンテナが同一のタイミングで送信信号を送信する場合には起こり得る送信信号間の干渉を防止することができる。
【００８０】
請求項１０記載のスイッチは、請求項５記載のスイッチの効果に加えて、信号処理部による移動体の検知結果に基づいて移動体が操作部に向かってくることを判断して負荷制御部に負荷を開閉制御させるよう設けた検知判断回路により、送信信号を発信するタイミングを調整してずらすのであるから、複数個の操作部毎に隣接配置されたアンテナが同一のタイミングで送信信号を送信する場合には起こり得る送信信号間の干渉を防止することができる。
【００８１】
請求項１１記載のスイッチは、請求項５記載のスイッチの効果に加えて、送信信号を発信するタイミングが互いに異なるよう、送信信号を発信するタイミングを調整するとともに、受信信号を受信可能なタイミングを、送信信号を発信するタイミングに合わせているから、複数個の操作部毎に隣接配置されたアンテナが同一のタイミングで送信信号を送信する場合には起こり得る送信信号間の干渉を防止することができ、さらに、受信信号を受信可能なタイミングを、送信信号を発信するタイミングに合わせているから、隣接配置されたアンテナがタイミングをずらして発信した発信信号が反射された反射波を受信信号として受信することはなく、送信信号間の干渉を防止することができるという効果を確実にすることができる。
【図面の簡単な説明】
【図１】本発明の第１実施形態のブロック図である。
【図２】同上のものの取付状態を示す分解斜視図である。
【図３】同上の側面断面図である。
【図４】同上の正面図である。
【図５】同上のもののカードを外した状態の正面図である。
【図６】本発明の第２実施形態のブロック図である。
【図７】同上の感度切替を説明する正面図である。
【図８】同上の感度切替を説明する側面図である。
【図９】本発明の第３実施形態のブロック図である。
【図１０】本発明の第４実施形態のブロック図である。
【図１１】同上の発信信号の発信タイミングを示すタイムチャートである。
【図１２】同上の発信制御回路の入力端子及び出力端子の信号電位を示すタイムチャートである。
【図１３】同上の発信制御回路に接続した抵抗回路を示す回路図である。
【図１４】同上の発信指示信号線の接続状態を示す斜視図である。
【図１５】同上の正面図である。
【図１６】発信制御回路が検知判断回路に設けられたもののブロック図である。
【図１７】本発明の第５実施形態のブロック図である。
【符号の説明】
１ａ  発振回路部
１ｂ  送信アンテナ
１ｃ  受信アンテナ
１ｄ  ミキサ
１Ａ  信号処理部
２    操作部
３    検知判断回路
４    負荷制御回路（負荷制御部）
６    基板
８    カード
１０  発信制御回路
ＨＲ  接続用抵抗回路
ＬＲ  接地用抵抗回路
Ｍ    手指等（移動体）
Ｌ    負荷機器（負荷）
【図１】
0003685051.tif 000002
【図２】
0003685051.tif 000003
【図３】
0003685051.tif 000004
【図４】
0003685051.tif 000005
【図５】
0003685051.tif 000006
【図６】
0003685051.tif 000007
【図７】
0003685051.tif 000008
【図８】
0003685051.tif 000009
【図９】
0003685051.tif 000010
【図１０】
0003685051.tif 000011
【図１１】
0003685051.tif 000012
【図１２】
0003685051.tif 000013
【図１３】
0003685051.tif 000014
【図１４】
0003685051.tif 000015
【図１５】
0003685051.tif 000016
【図１６】
0003685051.tif 000017
【図１７】
0003685051.tif 000018